(57)【要約】【課題】吸収パッドを取り付けた状態で使用可能な吸収性物品において、装着作業が容易で、安定した装着感を得ることが可能な吸収性物品を提供する。【解決手段】略矩形状の吸収パッドＰを取り付けた状態で使用可能な吸収性物品（紙おむつ１）であって、腹側部１１と背側部１２とを有し、腹側部１１は、当該腹側部１１の幅方向に並ぶ第１腹側部（右腹側部１１１）と第２腹側部（左腹側部１１２）とに分割されており、第１腹側部（右腹側部１１１）の分割側の端部には吸収パッドＰの第１角部Ｐ１を差し込むことが可能な第１差込部４１が設けられており、第２腹側部（左腹側部１１２）の分割側の端部には吸収パッドＰの第２角部Ｐ２を差し込むことが可能な第２差込部４２が設けられており、第２腹側部（左腹側部１１２）の外側に第１腹側部（右腹側部１１１）を重ねた状態で着脱自在な着脱部（ファスニング基材２１および被着部３０）を備えている。【選択図】図１１
2015192806.tif 000002
【特許請求の範囲】
【請求項１】
透液性の表面シートと、不透液性の裏面シートと、前記表面シートと前記裏面シートとの間に介装される吸収体とを備え、略矩形状の吸収パッドを取り付けた状態で使用可能な吸収性物品において、
装着時に人体の腹側に位置する腹側部と背側に位置する背側部とを有し、
前記腹側部は、当該腹側部の幅方向に並ぶ第１腹側部と第２腹側部とに分割されており、
前記第１腹側部の分割側の端部には、前記吸収パッドが有する４つの角部のうち、一の角部を差し込むことが可能な第１差込部が設けられており、
前記第２腹側部の分割側の端部には、前記４つの角部のうち、前記一の角部に隣接する一方の角部を差し込むことが可能な第２差込部が設けられており、
前記第２腹側部の外側に前記第１腹側部を重ねた状態で着脱自在な着脱部を備えることを特徴とする吸収性物品。
【請求項２】
前記第１差込部は、前記表面シートに第１差込部形成用シートを接着することによって形成され、
前記第１差込部形成用シートは、当該第１差込部形成用シートの縁部のうちの第１部分を除く部分が、前記表面シートに接着されており、
前記第１部分は、前記第１差込部の差込口を形成する部分を含むことを特徴とする請求項１に記載の吸収性物品。
【請求項３】
前記第１差込部形成用シートの縁部のうちの前記第１差込部の差込口を形成する部分には、弾性部材が設けられていることを特徴とする請求項２に記載の吸収性物品。
【請求項４】
前記第１部分は、さらに、前記第１差込部の差込口を形成する部分に対向する部分を含むことを特徴とする請求項２または３に記載の吸収性物品。
【請求項５】
前記第２差込部は、前記表面シートに第２差込部形成用シートを接着することによって形成され、
前記第２差込部形成用シートは、当該第２差込部形成用シートの縁部のうちの第２部分を除く部分が、前記表面シートに接着されており、
前記第２部分は、前記第２差込部の差込口を形成する部分を含むことを特徴とする請求項１から４の何れか一項に記載の吸収性物品。
【請求項６】
前記第２差込部形成用シートの縁部のうちの前記第２差込部の差込口を形成する部分には、弾性部材が設けられていることを特徴とする請求項５に記載の吸収性物品。
【請求項７】
前記第２部分は、さらに、前記第２差込部の差込口を形成する部分に対向する部分を含むことを特徴とする請求項５または６に記載の吸収性物品。
【請求項８】
前記第１腹側部と前記第２腹側部とは、分割可能に連結されていることを特徴とする請求項１から７の何れか一項に記載の吸収性物品。
【発明の詳細な説明】
【技術分野】
【０００１】
本発明は、吸収性物品に関する。
【背景技術】
【０００２】
従来、紙おむつ等のおむつ本体に取り付けられて使用される吸収パッド（インナーパッド）が知られている。吸収パッドは、体液の吸収に対しておむつ本体を補助するためのものであるとともに、おむつ本体自体の取り替え頻度を少なくすることによって使用コストを抑えるためのものである。
また、吸収パッドは、男性が使用する際には、単に宛がって使用するのではなく、男性器を被包して使用する場合がある。その際、矩形状の吸収パッドは、円錐形状に成形される（例えば、特許文献１参照）。
【先行技術文献】
【特許文献】
【０００３】
【特許文献１】特開２００４−１９５２５４号公報
【発明の概要】
【発明が解決しようとする課題】
【０００４】
しかしながら、従来のおむつ本体においては、吸収パッドで被包してからおむつ本体を装着する必要がある。すなわち、吸収パッドとおむつ本体とを個別に装着する必要があるため、装着作業が煩わしいという問題がある。また、吸収パッドを円錐形状に成形して被包する作業を、吸収パッドの成形が上手い者が行うと装着感が良くなり、吸収パッドの成形が下手な者が行うと装着感が悪くなるといったように、装着作業を行う者（着用者や介助者など）の技量に応じて吸収パッドの装着感が変わってしまうという問題がある。
【０００５】
本発明の課題は、吸収パッドを取り付けた状態で使用可能な吸収性物品において、装着作業が容易で、安定した装着感を得ることが可能な吸収性物品を提供することである。
【課題を解決するための手段】
【０００６】
前記課題を解決するために、請求項１に記載の発明は、
透液性の表面シートと、不透液性の裏面シートと、前記表面シートと前記裏面シートとの間に介装される吸収体とを備え、略矩形状の吸収パッドを取り付けた状態で使用可能な吸収性物品において、
装着時に人体の腹側に位置する腹側部と背側に位置する背側部とを有し、
前記腹側部は、当該腹側部の幅方向に並ぶ第１腹側部と第２腹側部とに分割されており、
前記第１腹側部の分割側の端部には、前記吸収パッドが有する４つの角部のうち、一の角部を差し込むことが可能な第１差込部が設けられており、
前記第２腹側部の分割側の端部には、前記４つの角部のうち、前記一の角部に隣接する一方の角部を差し込むことが可能な第２差込部が設けられており、
前記第２腹側部の外側に前記第１腹側部を重ねた状態で着脱自在な着脱部を備えることを特徴とする。
【０００７】
請求項２に記載の発明は、請求項１に記載の吸収性物品において、
前記第１差込部は、前記表面シートに第１差込部形成用シートを接着することによって形成され、
前記第１差込部形成用シートは、当該第１差込部形成用シートの縁部のうちの第１部分を除く部分が、前記表面シートに接着されており、
前記第１部分は、前記第１差込部の差込口を形成する部分を含むことを特徴とする。
【０００８】
請求項３に記載の発明は、請求項２に記載の吸収性物品において、
前記第１差込部形成用シートの縁部のうちの前記第１差込部の差込口を形成する部分には、弾性部材が設けられていることを特徴とする。
【０００９】
請求項４に記載の発明は、請求項２または３に記載の吸収性物品において、
前記第１部分は、さらに、前記第１差込部の差込口を形成する部分に対向する部分を含むことを特徴とする。
【００１０】
請求項５に記載の発明は、請求項１から４の何れか一項に記載の吸収性物品において、
前記第２差込部は、前記表面シートに第２差込部形成用シートを接着することによって形成され、
前記第２差込部形成用シートは、当該第２差込部形成用シートの縁部のうちの第２部分を除く部分が、前記表面シートに接着されており、
前記第２部分は、前記第２差込部の差込口を形成する部分を含むことを特徴とする。
【００１１】
請求項６に記載の発明は、請求項５に記載の吸収性物品において、
前記第２差込部形成用シートの縁部のうちの前記第２差込部の差込口を形成する部分には、弾性部材が設けられていることを特徴とする。
【００１２】
請求項７に記載の発明は、請求項５または６に記載の吸収性物品において、
前記第２部分は、さらに、前記第２差込部の差込口を形成する部分に対向する部分を含むことを特徴とする。
【００１３】
請求項８に記載の発明は、請求項１から７の何れか一項に記載の吸収性物品において、
前記第１腹側部と前記第２腹側部とは、分割可能に連結されていることを特徴とする。
【発明の効果】
【００１４】
本発明によれば、吸収パッドを取り付けた状態で使用可能な吸収性物品において、装着作業が容易で、安定した装着感を得ることができる。
【図面の簡単な説明】
【００１５】
【図１】実施形態の紙おむつの下側の平面展開図である。
【図２】実施形態の紙おむつの上側の平面展開図である。
【図３】図２におけるIII―III部の断面図である。
【図４】実施形態の紙おむつの装着時の状態の一例を示す斜視図である。
【図５】実施形態の紙おむつに取り付け可能な吸収パッドの一例を示す斜視図である。
【図６】実施形態の紙おむつの差込部近傍を示す図である。
【図７】実施形態の紙おむつにおいて、第１差込部への吸収パッドの差し込み方を説明する図である。
【図８】実施形態の紙おむつにおいて、折り線で折った状態を示す図である。
【図９】実施形態の紙おむつの装着方法の一例を説明する図である。
【図１０】実施形態の紙おむつの装着方法の一例を説明する図である。
【図１１】実施形態の紙おむつの装着方法の一例を説明する図である。
【図１２】実施形態の紙おむつの装着方法の一例を説明する図である。
【図１３】実施形態の紙おむつの装着方法の一例を説明する図である。
【図１４】実施形態の紙おむつの装着方法の一例を説明する図である。
【図１５】変形例１の紙おむつの差込部近傍を示す図である。
【図１６】変形例１の紙おむつの装着方法の一例を説明する図である。
【図１７】変形例１の紙おむつにおいて、第１差込部への吸収パッドの差し込み方を説明する図である。
【図１８】変形例２の紙おむつの差込部近傍を示す図である。
【図１９】変形例２の紙おむつにおいて、第２差込部への吸収パッドの差し込み方を説明する図である。
【発明を実施するための形態】
【００１６】
以下、本発明を実施するための形態を、図面を参照しながら説明する。但し、発明の範囲は図示例に限られない。
なお、以下の説明では、本実施形態における吸収性物品（紙おむつ１）を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向（幅方向）とする。
【００１７】
本実施形態の紙おむつ１は、吸収パッド（インナーパッド）Ｐを取り付けた状態で使用可能な使い捨て紙おむつである。
紙おむつ１は、図１〜図４に示すように、装着時に着用者の股部を腹側から背側にかけて覆う本体部１０を備えている。
本体部１０は、図１および図２に示すように、一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
【００１８】
腹側部１１と背側部１２とは、図４に示すように、紙おむつ１が装着された際に胴周り部１４を形成する。この際、背側部１２の胴周り方向に沿った縁部中央には、糸ゴム等の弾性部材１４１が本体部１０の幅方向（左右方向）に沿って設けられ、この弾性部材１４１により平面ギャザーが形成され、本体部１０は、着用者の胴周りにフィットするように伸縮自在な構成となっている。
【００１９】
股下部１３の両側縁部は、腹側部１１から背側部１２に亘って、装着時に着用者の脚周りに配置される二つの脚周り部１５，１５を形成する。二つの脚周り部１５には、図１および図２に示すように、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。
【００２０】
背側部１２の左右方向の端部には、外方に延出するサイドフラップ２０が形成され、サイドフラップ２０には、ファスニング基材２１が取り付けられている。
腹側部１１の肌との非接触面側（下側）には、ファスニング基材２１を着脱自在に係止させるための被着部３０が設けられている。
【００２１】
本体部１０は、図１〜図３に示すように、装着時に肌との接触面側（上側）に設けられる透液性の表面シート１０ａと、装着時に肌との接触面と反対側（下側）に設けられる不透液性の裏面シート１０ｂと、表面シート１０ａと裏面シート１０ｂとの間に介装される吸収体１０ｃと、表面シート１０ａ側において長手方向（前後方向）に沿って備えられる左右一対のギャザーシート１０ｄ，１０ｄと、表面シート１０ａ側の背側部１２における幅方向（左右方向）に沿って備えられるバックギャザーシート１０ｅと、により主に構成される。
【００２２】
表面シート１０ａは、紙おむつ１を装着した際に肌に接する面に設けられ、体液を受けて、吸収体１０ｃまで輸送する役割を果たす、透液性のシートである。
表面シート１０ａとしては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用いることが好ましい。
【００２３】
裏面シート１０ｂは、紙おむつ１を装着した際に肌に接する面と反対側の面に設けられ、体液などの紙おむつ１外部への染み出しや漏れ出しを防ぐための防水シート１６に、紙おむつ１の外面の風合いを良くするための外装シート１７を肌に接する面と反対側に貼り合わせて形成される、不透液性（遮水性）のシートである。
防水シート１６は、例えば、ポリエチレンやポリプロピレン等の少なくとも遮水性を有するシート材であって、ムレ防止の観点から透湿性を有するシート材が好適に用いられる。
外装シート１７は、平滑性と柔軟性に優れた素材を用いることが好ましく、例えば、表面シート１０ａと同様に、ポリエチレンまたはポリプロピレン等のオレフィン系、ポリエステル系、ポリアミド系等の合成繊維の他、レーヨンやキュプラ等の再生繊維、綿等の天然繊維を繊維素材として、スパンレース法、スパンボンド法、サーマルボンド法、メルトブローン法、ニードルパンチ法等の適宜の加工法によって得られた不織布を用いることができるが、特に、ムレを防止するために秤量を抑えて通気性に優れた不織布を用いることが好ましい。さらに、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２４】
吸収体１０ｃは、表面シート１０ａと裏面シート１０ｂとの間に介装され、綿やパルプ等の吸収性素材や、繊維或いはフィルム等のシート状基材と高吸収性ポリマーのような高吸水性樹脂とが組み合わされて形成された吸収体コア１０ｃ１が、透液性のクレープ紙、不織布、孔開きシート等のシート材１０ｃ２により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。また、吸収体１０ｃは、腹側部１１から股下部１３を通り背側部１２に亘る位置に配置されている。
【００２５】
ギャザーシート１０ｄ，１０ｄは、表面シート１０ａ側において、吸収体１０ｃの長手方向（前後方向）に沿った両側部に、腹側部１１から背側部１２に亘ってそれぞれ備えられている。
このギャザーシート１０ｄ，１０ｄの幅方向外側の部分は、吸収体１０ｃの側方で表面シート１０ａの上面に固着されている。また、このギャザーシート１０ｄ，１０ｄの幅方向内側の部分は、表面シート１０ａに固定されておらず、その長手方向に沿って複数の弾性部材１８が略平行に備えられており、断面略「く」字状および逆「く」字状に立ち上がって着用者の体型に合わせて伸縮自在に変形可能な立体ギャザーが形成されている。
ギャザーシート１０ｄ，１０ｄとしては、例えば、外装シート１７と同様の不織布を用いることができるが、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いることが好ましい。
【００２６】
バックギャザーシート１０ｅは、背側部１２の表面シート１０ａ側において、本体部１０の長手方向（前後方向）端部に設けられている。
【００２７】
サイドフラップ２０は、背側部１２の延出方向両側に一対備えられており、ギャザーシート１０ｄ，１０ｄと外装シート１７とによって形成されている。
具体的には、ギャザーシート１０ｄ，１０ｄと外装シート１７とは、背側部１２よりも左右方向に延出して設けられ、このギャザーシート１０ｄ、１０ｄと外装シート１７とを接着剤により貼り合わせることでサイドフラップ２０が形成される。
【００２８】
ファスニング基材２１は、サイドフラップ２０を形成するギャザーシート１０ｄ，１０ｄと外装シート１７との間に挟持固定されて取付けられ、ギャザーシート１０ｄ，１０ｄと外装シート１７との間も接着剤により接着されている。
また、ファスニング基材２１は、前後並列に連結して備えられた後側ファスニング基材２１ａと前側ファスニング基材２１ｂとにより構成されている。具体的には、ファスニング基材２１は、図１および図２に示すように、ファスニング基材２１の前後方向略中央の位置に延出方向（左右方向）に沿ってミシン目２２を備えており、ミシン目２２を挟んで後側が後側ファスニング基材２１ａ、前側が前側ファスニング基材２１ｂとなっている。ミシン目２２は切り裂くことができるようになっており、前後別体の後側ファスニング基材２１ａと前側ファスニング基材２１ｂとに分割することができる。そして、後側ファスニング基材２１ａおよび前側ファスニング基材２１ｂは、肌との接触面と反対側の腹側部１１に設けられた被着部３０に係止することができるようになっている。
【００２９】
ファスニング基材２１における延出方向（左右方向）の先端部は、凸状に突出した形状となっており、面ファスナのオス材の係止要素であるファスニング部材２３が備えられている。
そして、ファスニング部材２３はメス材の係止要素である被着部３０に係止するようになっており、背側部１２側の後側ファスニング基材２１ａで胴周りを締め付け、脚周り部１５側の前側ファスニング基材２１ｂで脚周りを締め付け可能な構造となっている。これにより、紙おむつ１を好適に着用者にフィットさせて装着することができるようになっている。
【００３０】
次に、本実施形態の紙おむつ１が特徴とする構成について説明する。
本実施形態の紙おむつ１は、着用者が男性であり、紙おむつ１に取り付けた吸収パッドＰで男性器を被包して使用する場合であっても、装着作業が容易で、安定した装着感を得ることが可能となるよう構成されている。
具体的には、腹側部１１が、当該腹側部１１の幅方向（左右方向）に並ぶ右腹側部１１１と左腹側部１１２とに分割されており、腹側部１１に、吸収パッドＰの角部Ｐ１，Ｐ２を差し込むための差込部４１，４２が設けられている。
【００３１】
腹側部１１は、図１に示すように、当該腹側部１１を縦断する分割線Ｂによって、右腹側部１１１と左腹側部１１２とに分割されている。
そして、吸収体１０ｃのうちの分割線Ｂに対応する部分には、分割線Ｂよりも幅広のスリットＳが設けられている。したがって、腹側部１１のうちの分割線Ｂを取り囲む部分においては、吸収体１０ｃが配されておらず、表面シート１０ａと裏面シート１０ｂとが接着剤等によって貼り合わされている。
【００３２】
本実施形態において、分割線Ｂは、腹側部１１の幅方向（左右方向）中央よりも左側に形成され、腹側部１１の縁（前端）から股下部１３に向けて延在する前後方向に対し略平行な第１分割線Ｂ１と、第１分割線Ｂ１よりも股下部１３側に形成され、第１分割線Ｂ１の後端から腹側部１１の幅方向中央に亘って延在する前後方向に対し斜めの第２分割線Ｂ２と、からなる。したがって、本実施形態の場合、右腹側部１１１の面積（具体的には、上下方向から見た面積）の方が、左腹側部１１２の面積よりも大きい。
【００３３】
また、右腹側部１１１と左腹側部１１２とは、分割可能に連結されており、腹側部１１を右腹側部１１１と左腹側部１１２とに分割する必要がある場合に分割でき、右腹側部１１１と左腹側部１１２とを連結する必要がある場合に連結できるよう構成されている。
本実施形態の場合、図１に示すように、メス材の係止要素である被着部３０は、裏面シート１０ｂ側の腹側部１１のうちの胴周り方向に沿った部分に設けられた第１被着部３１と、裏面シート１０ｂ側の左腹側部１１２のうちの分割線Ｂの縁部に設けられた第２被着部３２と、が合わさった形状をなしている。また、図２に示すように、表面シート１０ａ側の右腹側部１１１のうちの分割線Ｂの縁部には、面ファスナのオス材の係止要素である第１係止部材Ｔ１が設けられている。裏面シート１０ｂ側の左腹側部１１２のうちの分割線Ｂの縁部に、表面シート１０ａ側の右腹側部１１１のうちの分割線Ｂの縁部を重ねて、第１係止部材Ｔ１を第２被着部３２（第１被着部３１のうち、分割線Ｂの縁部に位置する部分も含む。）に係止することで、右腹側部１１１と左腹側部１１２とを連結することができ、第１係止部材Ｔ１を第２被着部３２から剥がすことで、腹側部１１を右腹側部１１１と左腹側部１１２とに分割することができる。
また、図２に示すように、左側のサイドフラップ２０における肌との接触面側（ギャザーシート１０ｄ側）には、面ファスナのオス材の係止要素である第２係止部材Ｔ２が設けられている。左腹側部１１２に左側のサイドフラップ２０を重ねて、第２係止部材Ｔ２を第１被着部３１の左端部に係止することで、左側のサイドフラップ２０と左腹側部１１２とを連結することができ、第２係止部材Ｔ２を第１被着部３１から剥がすことで、当該連結を解除することができる。
【００３４】
また、図１に示すように、右腹側部１１１（すなわち、右腹側部１１１および左腹側部１１２のうちの面積が大きい方）の裏面シート１０ｂ側には、腹側部１１の縁（前端）のうちの腹側部１１の幅方向（左右方向）中央よりも右側の位置から第２分割線Ｂ２の後端に亘って延在する折り線Ｃが設けられている。この折り線Ｃは、例えば、エンボス加工等を施すことによって形成された谷折り線である。
【００３５】
紙おむつ１に取り付け可能な吸収パッドＰは、図５に示すように、少なくとも、装着時に肌との接触面側（上側）に設けられる透液性のトップシートＰａと、装着時に肌との接触面と反対側（下側）に設けられるバックシートＰｂと、トップシートＰａとバックシートＰｂとの間に介装される吸収体Ｐｃと、を備えて構成される。以下、吸収パッドＰが有する４つの角部のうち、一の角部を「第１角部Ｐ１」と称し、第１角部Ｐ１に隣接する２つの角部のうち、当該第１角部Ｐ１と吸収パッドＰの長手方向に隣接する角部を「第２角部Ｐ２」と称する。
【００３６】
図２に示すように、右腹側部１１１の分割側（すなわち、左腹側部１１２側）の端部には、吸収パッドＰの第１角部Ｐ１を差し込むための第１差込部４１が設けられている。
第１差込部４１は、図６に示すように、表面シート１０ａに第１差込部形成用シート４１１を接着することによって形成されている。本実施形態において、第１差込部形成用シート４１１は、「第２分割線Ｂ２に沿う辺」と、「第１分割線Ｂ１のうちの第２分割線Ｂ２側の部分に沿う辺であって、第１分割線Ｂ１の約半分の長さの辺（以下、単に「第１分割線Ｂ１に沿う辺」という。）」と、「折り線Ｃのうちの第２分割線Ｂ２側の部分に沿う辺であって、折り線Ｃの約半分の長さの辺（以下、単に「折り線Ｃに沿う辺」という。）」と、「第１分割線Ｂ１に沿う辺の前端と、折り線Ｃに沿う辺の前端と、をつなぐ辺」と、で囲まれた四角形状のシートであり、右腹側部１１１のうちの分割線Ｂと折り線Ｃとで挟まれた領域に配設されている。
第１差込部形成用シート４１１としては、例えば、表面シート１０ａと同様の不織布を用いることができる。
【００３７】
具体的には、第１差込部形成用シート４１１は、「第２分割線Ｂ２に沿う辺」を含む縁部４１１ａと、「第１分割線Ｂ１に沿う辺」を含む縁部４１１ｂと、「第１分割線Ｂ１に沿う辺の前端と、折り線Ｃに沿う辺の前端と、をつなぐ辺」を含む縁部４１１ｃと、が接着剤等によって表面シート１０ａに接着されている。すなわち、第１差込部形成用シート４１１は、図６において斜線ハッチングを付した部分が接着剤等によって表面シート１０ａに接着されている。なお、図６においては、第１係止部材Ｔ１の図示を省略している。
【００３８】
そして、第１差込部４１においては、図７（ａ）に示すように、第１差込部形成用シート４１１の縁部のうちの「折り線Ｃに沿う辺」を含む縁部４１１ｄ側から第１角部Ｐ１を差し込むようになっている。その際、図８に示すように、折り線Ｃに沿って右腹側部１１１を折ることで、紙おむつ１を裏面シート１０ｂ側から見た状態で第１差込部４１を視認することができるようになる。したがって、紙おむつ１を着用者に当てた状態でも、折り線Ｃに沿って右腹側部１１１を折ることで、第１差込部４１に吸収パッドＰが差し込みやすくなる。また、折り線Ｃを設けることで、右腹側部４１１が開く方向に折りやすくなる。
ここで、「紙おむつ１を着用者に当てた状態」とは、腹側部１１が着用者の腹側に位置し、背側部１２が着用者の背側に位置し、股下部１３が着用者の股下に位置する状態であって、第１係止部材Ｔ１が第２被着部３２に係止していない状態のことである。
【００３９】
また、第１差込部形成用シート４１１の縁部のうちの「折り線Ｃに沿う辺」を含む縁部４１１ｄには、図６に示すように、糸ゴム等の弾性部材４１２が当該辺に沿って設けられ、この弾性部材４１２によって平面ギャザーが形成されている。これにより、第１差込部４１の差込口（以下「第１差込口」という。）を拡げることができるため、第１差込部４１に吸収パッドＰが差し込みやすくなり、また、第１差込部４１に差し込んだ吸収パッドＰを平面ギャザーで押さえることができるため、紙おむつ１の装着作業中や装着後に吸収パッドＰが第１差込部４１から抜けたり吸収パッドＰが位置ズレしたりすることを抑制することができる。
【００４０】
また、第１差込口の幅（すなわち、第１差込口の両端間の距離）は、図７（ｂ）に示すように、第１差込部４１に正常に差し込んだ吸収パッドＰの縁が当該第１差込口の両端に当接する幅に設定されている。これにより、吸収パッドＰの縁が第１差込口の両端に当接するまで当該吸収パッドＰを差し込むだけで、吸収パッドＰを正しい位置に取り付けることができるため、装着作業を行う者の技量にかかわらず安定した装着感を得ることができるとともに、吸収パッドＰの交換前後で吸収パッドＰの位置が変わってしまうことを抑制することができる。また、吸収パッドＰを第１差込部４１に正常に差し込んだ状態で当該吸収パッドＰの縁が第１差込口の両端に当接するため、紙おむつ１の装着作業中や装着後に吸収パッドＰが第１差込部４１から抜けたり吸収パッドＰが位置ズレしたりすることを抑制することができる。
【００４１】
また、第１差込部４１は、図７（ｂ）に示すように、吸収パッドＰを当該第１差込部４１に正常に差し込んだ状態で、第１差込口の両端以外の部分が吸収パッドＰの縁とは当接しないように形成されている。すなわち、第１差込部４１には、第１角部Ｐ１の先端部が動きやすいように遊び空間（図７（ｂ）において一点鎖線で囲った空間）が設けられている。これにより、第１角部Ｐ１の先端部が第１差込口の両端を基点として巻き形状になるよう第１差込部４１内で動くことができるため、吸収パッドＰは、円錐形状となるように巻いた状態になりやすい。
【００４２】
図２に示すように、左腹側部１１２の分割側（すなわち、右腹側部１１１側）の端部には、吸収パッドＰの第２角部Ｐ２を差し込むための第２差込部４２が設けられている。
第２差込部４２は、図６に示すように、表面シート１０ａに第２差込部形成用シート４２１を接着することによって形成されている。本実施形態において、第２差込部形成用シート４２１は、略直角三角形状のシートであり、斜辺が後側（背側部１２側）を向き、かつ、斜辺以外の辺のうちの一方が第１分割線Ｂ１に沿うように配設されている。
第２差込部形成用シート４２１としては、例えば、表面シート１０ａと同様の不織布を用いることができる。
【００４３】
具体的には、第２差込部形成用シート４２１は、斜辺以外の辺を含む縁部４２１ａ，４２１ｂが接着剤等によって表面シート１０ａに接着されている。すなわち、第２差込部形成用シート４２１は、図６において斜線ハッチングを付した部分が接着剤等によって表面シート１０ａに接着されている。
そして、第２差込部４２においては、第２差込部形成用シート４２１の縁部のうちの斜辺を含む縁部４２１ｃ側から、第２角部Ｐ２を差し込むようになっている。
【００４４】
また、第２差込部形成用シート４２１の縁部のうちの斜辺を含む縁部４２１ｃには、糸ゴム等の弾性部材４２２が当該斜辺に沿って設けられ、この弾性部材４２２によって平面ギャザーが形成されている。これにより、第２差込部４２の差込口（以下「第２差込口」という。）を拡げることができるため、第２差込部４２に吸収パッドＰが差し込みやすくなり、また、第２差込部４２に差し込んだ吸収パッドＰを平面ギャザーで押さえることができるため、紙おむつ１の装着作業中や装着後に吸収パッドＰが第２差込部４２から抜けたり吸収パッドＰが位置ズレしたりすることを抑制することができる。
【００４５】
また、第２差込部４２の形状は、吸収パッドＰの第２角部Ｐ２の形状（すなわち、略直角）に合わせて略直角三角形となっている。これにより、第２角部Ｐ２が第２差込部４２に略ぴったりはまるまで当該第２角部Ｐ２を差し込むだけで、吸収パッドＰを正しい位置に取り付けることができるため、装着作業を行う者の技量にかかわらず安定した装着感を得ることができるとともに、吸収パッドＰの交換前後で吸収パッドＰの位置が変わってしまうことを抑制することができる。また、吸収パッドＰを第２差込部４２に正常に差し込んだ状態で当該吸収パッドＰの第２角部Ｐ２が第２差込部４２に略ぴったりはまるため、紙おむつ１の装着作業中や装着後に吸収パッドＰが第２差込部４２から抜けたり吸収パッドＰが位置ズレしたりすることを抑制することができる。
【００４６】
次に、紙おむつ１に取り付けた吸収パッドＰで男性器を被包して使用する場合における、紙おむつ１の装着方法の一例を説明する。なお、図９〜図１４においては、着用者の図示は省略している。
まず、図９に示すように、第１係止部材Ｔ１を第２被着部３２（第１被着部３１のうち、分割線Ｂの縁部に位置する部分も含む。）に係止して右腹側部１１１と左腹側部１１２とを連結した状態で、紙おむつ１を着用者に当てる。
次いで、図１０に示すように、左側のサイドフラップ２０に設けられている第２係止部材Ｔ２を第１被着部３１の左端部に係止して、右側のファスニング基材２１を第１被着部３１に係止する。
次いで、図１１に示すように、第１係止部材Ｔ１を第２被着部３２から剥がして右腹側部１１１と左腹側部１１２とを分割し、右腹側部１１１を折り線Ｃに沿って折ることで、右腹側部１１１を開いて第１差込部４１を視認できる状態にするとともに、左腹側部１１２を折ることで、左腹側部１１２を開いて第２差込部４２を視認できる状態にする。この際、左腹側部１１２には、折り線Ｃが設けられていないが、第２差込部形成用シート４２１の縁部４２１ｃには弾性部材４２２が設けられているため、左腹側部１１２は、縁部４２１ｃに沿って折りやすくなっている。
次いで、紙おむつ１の上面（表面シート１０ａ側の面）と吸収パッドＰの上面（トップシートＰａ側の面）とが対向するように紙おむつ１の上面に吸収パッドＰを載置して、吸収パッドＰの上面に着用者の男性器が載置されるように当該吸収パッドＰを陰茎（男性器）と陰嚢との間に挟む。そして、図１２に示すように、紙おむつ１の差込部４１，４２内の上面（表面シート１０ａ側の面）と、吸収パッドＰの下面（バックシートＰａ側の面）が対向するように、当該吸収パッドＰの第１角部Ｐ１を第１差込部４１に差し込むとともに、当該吸収パッドＰの第２角部Ｐ２を第２差込部４２に差し込む。
【００４７】
次いで、図１３に示すように、左腹側部１１２を閉じて左腹側部１１２の表面シート１０ａを着用者の肌に接触させる。
次いで、右腹側部１１１を閉じて右腹側部１１１の表面シート１０ａを着用者の肌に接触させて、図１４に示すように、第１係止部材Ｔ１を第２被着部３２（第１被着部３１のうち、分割線Ｂの縁部に位置する部分も含む。）に係止して右腹側部１１１と左腹側部１１２とを連結する。このように、第１係止部材Ｔ１を第２被着部３２に係止するだけで、自然と吸収パッドＰが円錐形状に成形されて、当該吸収パッドＰで着用者の男性器が被包された状態となる。
次いで、図４に示すように、右腹側部１１１を左腹側部１１２に重ねた状態、本実施形態の場合、右腹側部１１１を左腹側部１１２に重ねて右腹側部１１１と左腹側部１１２とを連結した状態で、左側のファスニング基材２１を第１被着部３１に係止する。これにより、紙おむつ１を着用者に装着することができる。すなわち、ファスニング基材２１および被着部３０（具体的には、第１被着部３１）が、左腹側部１１２の外側に右腹側部１１１を重ねた状態で着脱自在な着脱部をなす。
【００４８】
このように、本実施形態の紙おむつ１は、紙おむつ１に取り付けた吸収パッドＰで男性器を被包して使用する場合、吸収パッドＰの角部Ｐ１，Ｐ２を差込部４１，４２に差し込んで、右腹側部１１１と左腹側部１１２とを重ね、その状態でファスニング基材２１を被着部３０に係止するだけで装着することができる。したがって、従来の紙おむつ（おむつ本体）のように吸収パッドＰを個別に装着する必要がなく、吸収パッドＰと紙おむつ１とを同時に装着することができるため、装着作業が容易である。また、従来の紙おむつ（おむつ本体）のように吸収パッドＰの装着作業（具体的には、吸収パッドＰを円錐形状に成形して被包する作業）を個別に行う必要がないため、装着作業を行う者の技量に応じて吸収パッドＰの装着感が変わることがなく、安定した装着感を得ることが可能である。
【００４９】
また、本実施形態の紙おむつ１は、紙おむつ１を着用者に当てた状態で吸収パッドＰを交換することができる。すなわち、左側のファスニング基材２１を第１被着部３１から剥がし、その後、第１係止部材Ｔ１を第２被着部３２から剥がして右腹側部１１１を折って右腹側部１１１を開くとともに、左腹側部１１２を折って左腹側部１１２を開くことで、紙おむつ１を着用者に当てた状態でも、当該紙おむつ１に取り付けられている吸収パッドＰを引き抜いて、新しい吸収パッドＰを取り付けることができるため、吸収パッドＰの交換作業も楽に行うことができる。
また、吸収パッドＰを交換する際も吸収パッドＰの角部Ｐ１，Ｐ２を差込部４１，４２に差し込むだけで、交換後の吸収パッドＰ（すなわち、新しい吸収パッドＰ）を、交換前の吸収パッドＰと同じ位置に取り付けることができるため、装着感が吸収パッドＰの交換前後で変わることがなく、安定した装着感を得ることが可能である。
【００５０】
＜変形例１＞
図１５に示すように、第１差込部形成用シート４１１の縁部のうちの「第１分割線Ｂ１に沿う辺」を含む縁部４１１ｂは、表面シート１０ａに接着されていなくてもよい。すなわち、第１差込部４１は、第１差込口と、当該第１差込口に対向する部分と、が開口していてもよい。
これにより、図１６（ａ）に示すように、第１差込部４１に差し込んだ吸収パッドＰの第１角部Ｐ１を、第１差込口に対向する開口（以下「第１対向口」という。）から引き出すことができるため、図１６（ｂ）に示すように、吸収パッドＰの角部Ｐ１，Ｐ２を差込部４１，４２に差し込み、右腹側部１１１と左腹側部１１２とを重ねた状態で、第１角部Ｐ１の第１対向口からの引き出し量を調整して、吸収パッドＰの巻き具合を調整することができる。したがって、被包する男性器のサイズ等に合わせて吸収パッドＰの巻き具合を調整することが可能となるため、より安定した装着感を得ることができる。
【００５１】
この場合、図１７（ａ）に示すように、第１差込口（すなわち「折り線Ｃに沿う辺」を含む縁部４１１ｄ）から吸収パッドＰを差し込み、図１７（ｂ）に示すように、当該吸収パッドＰの縁が第１差込口の両端に当接した状態で、当該吸収パッドＰの第１角部Ｐ１の先端部が、第１対向口（すなわち「第１分割線Ｂ１に沿う辺」を含む縁部４１１ｂ）から突出することが好ましい。すなわち、吸収パッドＰを第１差込部４１に正常に差し込んだ状態で、当該吸収パッドＰの第１角部Ｐ１の先端部が、第１対向口から突出することが好ましい。これにより、吸収パッドＰの第１角部Ｐ１を第１対向口から引き出しやすくなる。
【００５２】
また、この場合、図１５に示すように、「第１分割線Ｂ１に沿う辺」を含む縁部４１１ｂには糸ゴム等の弾性部材４１２が当該辺に沿って設けられ、この弾性部材４１２によって平面ギャザーが形成されていることが好ましい。これにより、第１対向口を拡げることができるため、吸収パッドＰの第１角部Ｐ１が引き出しやすくなり、また、引き出した第１角部Ｐ１を平面ギャザーで押さえることができるため、所望の引き出し量を維持することが可能となり、より安定した装着感を得ることができる。
【００５３】
＜変形例２＞
図１８に示すように、第２差込部形成用シート４２１は、略直角部分を切り落とした略台形状のシートであってもよく、第２差込部４２は、第２差込口と、当該第２差込口に対向する部分と、が開口していてもよい。以下、第２差込口に対向する開口を「第２対向口」という。
この場合、第２差込口（すなわち、縁部４２１ｃ）から吸収パッドＰを正常に差し込むと、図１９（ａ）に示すように、当該吸収パッドＰの第２角部Ｐ２の先端部が、第２対向口（すなわち、縁部４２１ｄ）から突出するため、図１９（ｂ）に示すように、第２角部Ｐ２の先端部を折り曲げて第２対向口から第２差込部４２に差し込むことで、第２角部Ｐ２の折れ曲がった状態を維持することが可能となる。これにより、吸収パッドＰに巻き癖を付けることができるため、より吸収パッドＰが円錐形状となるように巻いた状態になりやすくなる。
なお、変形例１の第１差込部４１と、変形例２の第２差込部４２と、を組み合わせることも可能である。
【００５４】
以上説明した本実施形態の紙おむつ１によれば、透液性の表面シート１０ａと、不透液性の裏面シート１０ｂと、表面シート１０ａと裏面シート１０ｂとの間に介装される吸収体１０ｃとを備え、略矩形状の吸収パッドＰを取り付けた状態で使用可能な吸収性物品であって、装着時に人体の腹側に位置する腹側部１１と背側に位置する背側部１２とを有し、腹側部１１は、当該腹側部１１の幅方向に並ぶ第１腹側部（右腹側部１１１）と第２腹側部（左腹側部１１２）とに分割されており、第１腹側部（右腹側部１１１）の分割側の端部には、吸収パッドＰが有する４つの角部のうち、一の角部（第１角部Ｐ１）を差し込むことが可能な第１差込部４１が設けられており、第２腹側部（左腹側部１１２）の分割側の端部には、吸収パッドＰが有する４つの角部のうち、一の角部（第１角部Ｐ１）に隣接する一方の角部（第２角部Ｐ２）を差し込むことが可能な第２差込部４２が設けられており、第２腹側部（左腹側部１１２）の外側に第１腹側部（右腹側部１１１）を重ねた状態で着脱自在な着脱部（ファスニング基材２１および被着部３０）を備えている。
【００５５】
すなわち、本実施形態の紙おむつ１は、紙おむつ１に取り付けた吸収パッドＰで男性器を被包して使用する場合、吸収パッドＰの角部Ｐ１，Ｐ２を差込部４１，４２に差し込み、第２腹側部（左腹側部１１２）の外側に第１腹側部（右腹側部１１１）を重ねて第１係止部材Ｔ１を第２被着部３２（第１被着部３１のうち、分割線Ｂの縁部に位置する部分も含む。）に係止し、その状態で着脱部（ファスニング基材２１および被着部３０）を着けるだけで装着することができる。したがって、従来の紙おむつ（おむつ本体）のように吸収パッドＰを個別に装着する必要がなく、吸収パッドＰと紙おむつ１とを同時に装着することができるため、装着作業が容易である。また、従来の紙おむつ（おむつ本体）のように吸収パッドＰの装着作業（具体的には、吸収パッドＰを円錐形状に成形して被包する作業）を個別に行う必要がないため、装着作業を行う者の技量に応じて吸収パッドＰの装着感が変わることがなく、安定した装着感を得ることが可能である。
【００５６】
なお、第１差込部４１および第２差込部４２の位置は、吸収パッドＰの角部Ｐ１，Ｐ２を差込部４１，４２に差し込み、第２腹側部（左腹側部１１２）の外側に第１腹側部（右腹側部１１１）を重ねた際に、当該吸収パッドＰが円錐形状となるように巻いた状態になるような位置であれば、適宜任意に変更可能である。
また、本実施形態では、右腹側部１１１の面積の方が、左腹側部１１２の面積よりも大きくなるように、分割線Ｂの位置や形状を設定したが、分割線Ｂの位置や形状は適宜任意に変更可能であり、また、右腹側部１１１は、左腹側部１１２よりも面積が小さくてもよいし、左腹側部１１２と同等の面積であってもよい。
また、本実施形態では、右腹側部１１１を第１腹側部とし、左腹側部１１２を第２腹側部としたが、分割線Ｂの位置や形状などに応じて、左腹側部１１２を第１腹側部とし、右腹側部１１１を第２腹側部としてもよい。
また、本実施形態では、折り線Ｃを右腹側部１１１に設けたが、折り線Ｃは、左腹側部１１２に設けられていてもよいし、右腹側部１１１と左腹側部１１２との双方に設けられていてもよい。
【００５７】
また、以上説明した本実施形態の紙おむつ１によれば、第１差込部４１は、表面シート１０ａに第１差込部形成用シート４１１を接着することによって形成され、第１差込部形成用シート４１１は、当該第１差込部形成用シート４１１の縁部のうちの第１部分を除く部分が、表面シート１０ａに接着されており、第１部分は、第１差込部４１の差込口（第１差込口）を形成する部分（本実施形態の場合、縁部４１１ｄ）を含んでいる。
そして、第１差込部形成用シート４１１の縁部のうちの第１差込部４１の差込口（第１差込口）を形成する部分（本実施形態の場合、縁部４１１ｄ）に、弾性部材４１２を設けるように構成することが可能である。
【００５８】
このように構成することによって、第１差込部形成用シート４１１の縁部のうちの第１差込部４１の差込口（第１差込口）を形成する部分に平面ギャザーが形成され、第１差込部４１の差込口（第１差込口）を拡げることができるため、第１差込部４１に吸収パッドＰが差し込みやすくなり、また、第１差込部４１に差し込んだ吸収パッドＰを平面ギャザーで押さえることができるため、紙おむつ１の装着作業中や装着後に吸収パッドＰが第１差込部４１から抜けたり吸収パッドＰが位置ズレしたりすることを抑制することができる。
【００５９】
また、以上説明した本実施形態の紙おむつ１によれば、変形例１のように、第１部分は、さらに、第１差込部４１の差込口（第１差込口）を形成する部分に対向する部分（変形例１の場合、縁部４１１ｂ）を含んでいてもよい。すなわち、第１差込部４１は、差込口（第１差込口）と、当該差込口に対向する開口（第１対向口）と、の２つの開口を有していてもよい。
【００６０】
このように第１差込部４１が２つの開口を有する場合、吸収パッドＰの角部Ｐ１，Ｐ２を差込部４１，４２に差し込み、右腹側部１１１と左腹側部１１２とを重ねた状態で、第１角部Ｐ１の第１対向口からの引き出し量を調整して、吸収パッドＰの巻き具合を調整することができるため、より安定した装着感を得ることができる。
【００６１】
また、以上説明した本実施形態の紙おむつ１によれば、第２差込部４２は、表面シート１０ａに第２差込部形成用シート４２１を接着することによって形成され、第２差込部形成用シート４２１は、当該第２差込部形成用シート４２１の縁部のうちの第２部分を除く部分が、表面シート１０ａに接着されており、第２部分は、第２差込部４２の差込口（第２差込口）を形成する部分（本実施形態の場合、縁部４２１ｃ）を含んでいる。
そして、第２差込部形成用シート４２１の縁部のうちの第２差込部４２の差込口（第２差込口）を形成する部分（本実施形態の場合、縁部４２１ｃ）に、弾性部材４２２を設けるように構成することが可能である。
【００６２】
このように構成することによって、第２差込部形成用シート４２１の縁部のうちの第２差込部４２の差込口（第２差込口）を形成する部分に平面ギャザーが形成され、第２差込部４２の差込口（第２差込口）を拡げることができるため、第１差込部４１に吸収パッドＰが差し込みやすくなり、また、第２差込部４２に差し込んだ吸収パッドＰを平面ギャザーで押さえることができるため、紙おむつ１の装着作業中や装着後に吸収パッドＰが第２差込部４２から抜けたり吸収パッドＰが位置ズレしたりすることを抑制することができる。
【００６３】
また、以上説明した本実施形態の紙おむつ１によれば、変形例２のように、第２部分は、さらに、第２差込部４２の差込口（第２差込口）を形成する部分に対向する部分（変形例２の場合、縁部４２１ｄ）を含んでいてもよい。すなわち、第２差込部４２は、差込口（第２差込口）と、当該差込口に対向する開口（第２対向口）と、の２つの開口を有していてもよい。
【００６４】
このように第２差込部４２が２つの開口を有する場合、第２差込部４２に差し込んだ吸収パッドＰの第２角部Ｐ２の先端部を折り曲げて第２対向口から第２差込部４２に差し込むことで、吸収パッドＰに巻き癖を付けることができるため、より吸収パッドＰが円錐形状となるように巻いた状態になりやすくなる。
【００６５】
また、以上説明した本実施形態の紙おむつ１によれば、第１腹側部（右腹側部１１１）と第２腹側部（左腹側部１１２）とは、分割可能に連結されているように構成することが可能である。
【００６６】
このように構成することによって、第１腹側部（右腹側部１１１）と第２腹側部（左腹側部１１２）とを分割する必要がある場合（例えば、紙おむつ１に取り付けた吸収パッドＰで男性器を被包して使用する場合）だけでなく、右腹側部１１１と左腹側部１１２とを分割する必要がない場合（例えば、紙おむつ１に吸収パッドＰを取り付けないで使用する場合や、紙おむつ１に取り付けた吸収パッドＰを単に宛がって使用する場合）にも、吸収性物品（紙おむつ１）を使用することができる。
【００６７】
更に、本発明の範囲は上記に限られることなく、本発明の趣旨を逸脱しない範囲において種々の改良ならびに設計の変更を行っても良い。
【符号の説明】
【００６８】
１  紙おむつ（吸収性物品）
１０ａ  表面シート
１０ｂ  裏面シート
１０ｃ  吸収体
１１  腹側部
１２  背側部
２１  ファスニング基材（着脱部）
３０  被着部（着脱部）
４１  第１差込部
４２  第２差込部
１１１  右腹側部（第１腹側部）
１１２  左腹側部（第２腹側部）
４１１  第１差込部形成用シート
４１２  弾性部材
４２１  第２差込部形成用シート
４２２  弾性部材
Ｐ  吸収パッド
Ｐ１  第１角部（一の角部）
Ｐ２  第２角部（一の角部に隣接する一方の角部）
【図１】
2015192806.tif 000003
【図２】
2015192806.tif 000004
【図３】
2015192806.tif 000005
【図４】
2015192806.tif 000006
【図５】
2015192806.tif 000007
【図６】
2015192806.tif 000008
【図７】
2015192806.tif 000009
【図８】
2015192806.tif 000010
【図９】
2015192806.tif 000011
【図１０】
2015192806.tif 000012
【図１１】
2015192806.tif 000013
【図１２】
2015192806.tif 000014
【図１３】
2015192806.tif 000015
【図１４】
2015192806.tif 000016
【図１５】
2015192806.tif 000017
【図１６】
2015192806.tif 000018
【図１７】
2015192806.tif 000019
【図１８】
2015192806.tif 000020
【図１９】
2015192806.tif 000021